(57)【特許請求の範囲】
【請求項１】
ユーザを識別する識別情報であって、カラオケ装置のリモコン装置にログインしている複数の前記識別情報と、複数の前記識別情報とそれぞれ対応付けられた属性情報とを記憶する第１記憶手段と、
複数の広告コンテンツに対応付けられた属性情報を示す広告属性情報を記憶する第２記憶手段と、
前記第１記憶手段に記憶されている複数の識別情報の中から、現在の操作者として設定されている特定識別情報を特定する特定手段と、
前記第２記憶手段に記憶されている広告属性情報で示される広告コンテンツの中から、前記第１記憶手段に記憶されている属性情報であって前記特定識別情報に対応する属性情報と一致する属性情報に対応する広告コンテンツを、第１表示対象の広告コンテンツとして決定する第１決定手段と、
前記第１決定手段により決定された第１表示対象の広告コンテンツを、前記リモコン装置に設けられた所定の表示領域に表示させる第１制御手段と、
所定の待機条件が成立した場合、前記リモコン装置を所定の待機モードに設定する設定手段と、
前記待機モードが設定されているとき、前記待機モードを解除するための解除指令が受付けられたかを判定する判定手段と、
前記第２記憶手段に記憶されている広告属性情報で示される広告コンテンツの中から、前記第１記憶手段に記憶されている複数の識別情報に対応する属性情報と共通する属性情報に対応する広告コンテンツを、第２表示対象の広告コンテンツとして決定する第２決定手段と、
前記判定手段により解除指令が受付けられたと判定された場合、前記リモコン装置の前記待機モードが解除されるとき、前記第２決定手段により決定された第２表示対象の広告コンテンツを、前記第１表示対象の広告コンテンツより優先して前記所定の表示領域に表示させる第２制御手段と、
を備えることを特徴とするリモコン装置。
【請求項２】
請求項１に記載のリモコン装置において、
前記第２決定手段は、前記判定手段により解除指令が受付けられたと判定されたときに、第２表示対象の広告コンテンツを決定すること、
を特徴とするリモコン装置。
【請求項３】
請求項１又は請求項２に記載のリモコン装置において、
前記リモコン装置が実行した所定の情報処理に関する属性情報を、前記所定の情報処理の実行を指示した操作者を表す前記識別情報に対応付けて前記第１記憶手段に記録し、
前記第２記憶手段に記憶されている広告属性情報は、前記リモコン装置が実行する所定の情報処理に関する属性情報を少なくとも含むものであり、
前記第１決定手段は、前記特定識別情報に対応する属性情報であって、前記リモコン装置が実行した情報処理に関する属性情報と一致する属性情報に対応する広告コンテンツを、第１表示対象の広告コンテンツとして決定すること、
を特徴とするリモコン装置。
【請求項４】
請求項３に記載のリモコン装置において、
前記リモコン装置において選曲された楽曲のジャンルを示す属性情報を、選曲した操作者を表す前記識別情報に対応付けて前記第１記憶手段に記録し、
前記第２記憶手段に記憶されている広告属性情報は、楽曲のジャンルを示す属性情報を少なくとも含むものであり、
前記第１決定手段は、前記特定識別情報に対応する属性情報であって、選曲された楽曲のジャンルと一致する属性情報に対応する広告コンテンツを、第１表示対象の広告コンテンツとして決定すること、
を特徴とするリモコン装置。
【請求項５】
請求項１ないし請求項４の何れか１項に記載のリモコン装置において、
前記第２記憶手段に記憶されている広告属性情報は、楽曲に関する属性情報を少なくとも含むものであり、
前記第２決定手段は、前記リモコン装置において選曲されて演奏が予約されている楽曲数が規定数未満である場合、前記第２記憶手段に記憶されている広告属性情報で示される広告コンテンツの中から、前記第１記憶手段に記憶されている複数の識別情報に対応する属性情報と共通する属性情報に対応する広告コンテンツを、第２表示対象の広告コンテンツとして決定する一方、演奏が予約されている楽曲数が規定数以上である場合、演奏が予約されている楽曲に関する属性情報に対応する広告コンテンツを、第２表示対象の広告コンテンツとして決定すること、
を特徴とするリモコン装置。
【請求項６】
請求項１ないし請求項５の何れか１項に記載のリモコン装置において、
前記リモコン装置が実行した物品やサービスの購買を注文する処理に関する属性情報を、注文した操作者を表す前記識別情報に対応付けて前記第１記憶手段に記録し、
前記第２記憶手段に記憶されている広告属性情報は、物品やサービスの購買に関する属性情報を少なくとも含むものであり、
前記第２決定手段は、前記第１記憶手段に記憶されている複数の識別情報に対応する属性情報と共通する属性情報であって、物品やサービスの購買に関する属性情報に対応する広告コンテンツを、第２表示対象の広告コンテンツとして決定すること、
を特徴とするリモコン装置。
【請求項７】
請求項１ないし請求項６の何れか１項に記載のリモコン装置において、
前記リモコン装置の表示領域は、広告コンテンツが表示される広告表示領域と、前記リモコン装置が実行するアプリケーションの出力画像が表示されるアプリケーション表示領域とを備え、
前記第２記憶手段に記憶されている広告属性情報は、前記アプリケーションに関する属性情報を少なくとも含むものであり、
前記第２決定手段は、前記第１記憶手段に記憶されている複数の識別情報に対応する属性情報と共通する属性情報に対応する広告コンテンツであって、前記アプリケーション表示領域に表示されるアプリケーションに関する属性情報に対応する広告コンテンツを、第２表示対象の広告コンテンツとして決定し、
前記第２制御手段は、前記判定手段により解除指令が受付けられたと判定された場合、前記リモコン装置の前記待機モードが解除されるとき、前記第２決定手段により決定された第２表示対象の広告コンテンツを前記広告表示領域に表示させること、
を特徴とするリモコン装置。
【請求項８】
請求項７に記載のリモコン装置において、
前記リモコン装置の表示領域は、広告コンテンツが表示される広告表示領域と、物品やサービスの購買を注文するための購買アプリケーションの出力画像が表示されるアプリケーション表示領域とを備え、
前記第２記憶手段に記憶されている広告属性情報は、前記購買アプリケーションに関する属性情報を少なくとも含むものであり、
前記第２決定手段は、前記第１記憶手段に記憶されている複数の識別情報に対応する属性情報と共通する属性情報に対応する広告コンテンツであって、前記購買アプリケーションに関する属性情報に対応する広告コンテンツを、第２表示対象の広告コンテンツとして決定すること、
を特徴とするリモコン装置。
【請求項９】
請求項７又は請求項８に記載のリモコン装置において、
前記リモコン装置の表示領域は、広告コンテンツが表示される広告表示領域と、楽曲を検索するための検索アプリケーションの出力画像が表示されるアプリケーション表示領域とを備え、
前記第２記憶手段に記憶されている広告属性情報は、前記検索アプリケーションに関する属性情報を少なくとも含むものであり、
前記第２決定手段は、前記第１記憶手段に記憶されている複数の識別情報に対応する属性情報と共通する属性情報に対応する広告コンテンツであって、前記検索アプリケーションに関する属性情報に対応する広告コンテンツを、第２表示対象の広告コンテンツとして決定すること、
を特徴とするリモコン装置。
【請求項１０】
ユーザを識別する識別情報であって、カラオケ装置のリモコン装置にログインしている複数の前記識別情報と、複数の前記識別情報とそれぞれ対応付けられた属性情報とを記憶する第１記憶手段に記憶されている複数の識別情報の中から、現在の操作者として設定されている特定識別情報を特定する特定ステップと、
複数の広告コンテンツに対応付けられた属性情報を示す広告属性情報を記憶する第２記憶手段に記憶されている広告属性情報で示される広告コンテンツの中から、前記第１記憶手段に記憶されている属性情報であって前記特定識別情報に対応する属性情報と一致する属性情報に対応する広告コンテンツを、第１表示対象の広告コンテンツとして決定する第１決定ステップと、
前記第１決定ステップにおいて決定された第１表示対象の広告コンテンツを、前記リモコン装置に設けられた所定の表示領域に表示させる第１制御ステップと、
所定の待機条件が成立した場合、前記リモコン装置を所定の待機モードに設定する設定ステップと、
前記待機モードが設定されているとき、前記待機モードを解除するための解除指令が受付けられたかを判定する判定ステップと、
前記第２記憶手段に記憶されている広告属性情報で示される広告コンテンツの中から、前記第１記憶手段に記憶されている複数の識別情報に対応する属性情報と共通する属性情報に対応する広告コンテンツを、第２表示対象の広告コンテンツとして決定する第２決定ステップと、
前記判定ステップにおいて解除指令が受付けられたと判定された場合、前記リモコン装置の前記待機モードが解除されるとき、前記第２決定ステップにおいて決定された第２表示対象の広告コンテンツを、前記第１表示対象の広告コンテンツより優先して前記所定の表示領域に表示させる第２制御ステップと、
を前記リモコン装置のコンピュータに実行させるプログラム。
【発明の詳細な説明】
【技術分野】
【０００１】
本発明は、広告コンテンツを表示するカラオケ用のリモコン装置に関する。
【背景技術】
【０００２】
特許文献１には、カラオケ装置で演奏される楽曲に関する選曲操作を行うための遠隔操作端末（リモコン装置）において、システムにログインしている操作者に関連した広告動画情報を表示させる技術が記載されている。特許文献１に記載のリモコン装置は、表示画面を複数の領域に分割し、ある領域に演奏曲の選曲画面を表示させ、別の領域にログインユーザに関連した広告動画情報を表示させる。また、カラオケの選曲操作等を行うためのリモコン装置には、使用されていないときに動作を一部休止することで省エネルギを図る、いわゆる待機モード（例えば、スリープ等）に移行する機能を有する機器が存在する。
【０００３】
一方、特許文献２には、携帯電話機がスリープ状態から動作状態に復帰したときに、広告情報を表示させる技術が記載されている。特許文献２に記載の携帯電話機は、スリープ状態から動作状態に切替わると、ＩＤタグから識別情報を取得する。そして、携帯電話機は、取得した識別情報からアドレス情報を生成して、そのアドレス情報に該当する広告情報を広告サーバから取得し、取得した広告情報をディスプレイに表示する。
【先行技術文献】
【特許文献】
【０００４】
【特許文献１】特開２０１１−２１５１９５号公報
【特許文献２】特開２００７−１０２４２３号公報
【発明の概要】
【発明が解決しようとする課題】
【０００５】
ところで、カラオケの選曲操作等を行うためのリモコン装置では、１つのリモコン装置を複数のユーザで共用するために、１つのリモコン装置に対して複数のユーザが並行してログインできるようになっているものがある。このようなリモコン装置において、あるログインユーザが操作者となってリモコンを操作しているときに、リモコン装置が特定した操作者に関連した広告コンテンツをディスプレイに表示させることが考えられる。しかしながら、リモコン装置が待機モードを有する場合、待機モードの状態から待機モードの解除指令が受付けられて動作状態に切替わった時点で、待機モードの解除指令を与えた操作者が複数のログインユーザの中の誰であるかをリモコン装置が特定できない。このような場合、一般的に、待機モードが解除されたときの操作者として、待機モードに切替わる直前の操作者が決定されることが考えられる。しかしながら、待機モードに切替わる直前の操作者が、必ずしも待機モードが解除されたときの操作者である保証はない。このため、リモコン装置が認識している操作者に関連する広告コンテンツを表示させたとしても、実際の操作者に関連のない広告コンテンツが表示される場合がある。
【０００６】
本発明は上記問題を解決するためになされたものである。本発明は、複数のユーザが並行してログイン可能なリモコン装置において、待機モードから動作状態に復帰したタイミングで、複数のログインユーザに関連する広告コンテンツを表示できるようにするための技術を提供することを目的とする。
【課題を解決するための手段】
【０００７】
本発明のリモコン装置は、第１記憶手段と、第２記憶手段と、特定手段と、第１決定手段と、第１制御手段と、設定手段と、判定手段と、第２決定手段と、第２制御手段とを備える。
【０００８】
第１記憶手段は、ユーザを識別する識別情報であって、カラオケ装置のリモコン装置にログインしている複数の識別情報と、複数の識別情報とそれぞれ対応付けられた属性情報とを記憶する。第２記憶手段は、複数の広告コンテンツに対応付けられた属性情報を示す広告属性情報を記憶する。特定手段は、第１記憶手段に記憶されている複数の識別情報の中から、現在の操作者として設定されている特定識別情報を特定する。第１決定手段は、第２記憶手段に記憶されている広告属性情報で示される広告コンテンツの中から、第１記憶手段に記憶されている属性情報であって特定識別情報に対応する属性情報と一致する属性情報に対応する広告コンテンツを、第１表示対象の広告コンテンツとして決定する。そして、第１制御手段は、第１決定手段により決定された第１表示対象の広告コンテンツを、リモコン装置に設けられた所定の表示領域に表示させる。
【０００９】
設定手段は、所定の待機条件が成立した場合、リモコン装置を所定の待機モードに設定する。判定手段は、待機モードが設定されているとき、待機モードを解除するための解除指令が受付けられたかを判定する。第２決定手段は、第２記憶手段に記憶されている広告属性情報で示される広告コンテンツの中から、第１記憶手段に記憶されている複数の識別情報に対応する属性情報と共通する属性情報に対応する広告コンテンツを、第２表示対象の広告コンテンツとして決定する。そして、第２制御手段は、判定手段により解除指令が受付けられたと判定された場合、リモコン装置の待機モードが解除されるとき、第２決定手段により決定された第２表示対象の広告コンテンツを、第１表示対象の広告コンテンツより優先して所定の表示領域に表示させる。
【００１０】
本発明によれば、複数のログインユーザの中から操作者が特定されているときには、その操作者に関連する広告コンテンツを表示させることができる。一方、リモコン装置が待機モードから復帰するタイミングで、複数のログインユーザに共通して関連する広告コンテンツを表示させることができる。このようにすることで、待機モードから復帰するときに、複数のログインユーザのうち誰が操作者になるか特定できない状況下において、複数のログインユーザに共通して関連する有用な情報を提供できる。そして、待機モードからの復帰後、操作者が特定できたときには、その操作者に関連する広告コンテンツの表示を再開できる。
【００１１】
なお、第２決定手段が第２表示対象の広告コンテンツを決定するタイミングとしては、請求項２に記載のようにすることが考えられる。すなわち、第２決定手段は、判定手段により待機モードの解除指令が受付けられたと判定されたときに、第２表示対象の広告コンテンツを決定する。
【００１２】
請求項３に記載のリモコン装置は、次の特徴を有する。すなわち、リモコン装置が実行した所定の情報処理に関する属性情報が、その情報処理の実行を指示した操作者を表す識別情報に対応付けて第１記憶手段に記録される。また、第２記憶手段に記憶されている広告属性情報は、リモコン装置が実行する所定の情報処理に関する属性情報を少なくとも含むものである。そして、第１決定手段は、特定識別情報に対応する属性情報であって、リモコン装置が実行した情報処理に関する属性情報と一致する属性情報に対応する広告コンテンツを、第１表示対象の広告コンテンツとして決定する。このようにすることで、あるログインユーザが操作者として設定されているときに、その操作者がリモコン装置を利用した履歴に関する広告コンテンツを表示させることができ、操作者であるユーザに有用な情報を提供できる。
【００１３】
具体的には、操作者がリモコン装置を用いて選曲した楽曲のジャンルに対応する広告コンテンツを表示させることが考えられる。そのためには、請求項４に記載のように構成するとよい。すなわち、リモコン装置において選曲された楽曲のジャンルを示す属性情報が、選曲した操作者を表す識別情報に対応付けて第１記憶手段に記録される。また、第２記憶手段に記憶されている広告属性情報は、楽曲のジャンルを示す属性情報を少なくとも含むものである。そして、第１決定手段は、特定識別情報に対応する属性情報であって、選曲された楽曲のジャンルと一致する属性情報に対応する広告コンテンツを、第１表示対象の広告コンテンツとして決定する。このようにすることで、あるログインユーザが操作者として設定されているときに、その操作者がリモコン装置を利用して選曲した楽曲のジャンルに対応する広告コンテンツを表示させることができる。
【００１４】
請求項５に記載のリモコン装置は、次の特徴を有する。すなわち、第２記憶手段に記憶されている広告属性情報は、楽曲に関する属性情報を少なくとも含むものである。第２決定手段は、リモコン装置において選曲されて演奏が予約されている楽曲数が規定数未満である場合、第２記憶手段に記憶されている広告属性情報で示される広告コンテンツの中から、第１記憶手段に記憶されている複数の識別情報に対応する属性情報と共通する属性情報に対応する広告コンテンツを、第２表示対象の広告コンテンツとして決定する。一方、演奏が予約されている楽曲数が規定数以上である場合、演奏が予約されている楽曲に関する属性情報に対応する広告コンテンツを、第２表示対象の広告コンテンツとして決定する。このようにすることで、演奏が予約されている楽曲数が多いときに、待機モードから復帰するタイミングで予約曲に関連する広告コンテンツを表示させることができ、複数のログインユーザの興味の対象となり得る情報を提供できる。
【００１５】
ところで、カラオケ店舗で用いられるリモコン装置には、カラオケ店舗で販売される飲食物や様々なサービスを注文するためのアプリケーションが実装されたものがある。そこで、ログインユーザがリモコン装置を用いて購買の注文をした履歴に基づいて、第２表示対象の広告コンテンツを決定することが考えられる。
【００１６】
具体的には、請求項６に記載のように構成するとよい。すなわち、リモコン装置が実行した物品やサービスの購買を注文する処理に関する属性情報が、注文した操作者を表す識別情報に対応付けて第１記憶手段に記録される。また、第２記憶手段に記憶されている広告属性情報は、物品やサービスの購買に関する属性情報を少なくとも含むものである。そして、第２決定手段は、第１記憶手段に記憶されている複数の識別情報に対応する属性情報と共通する属性情報であって、物品やサービスの購買に関する属性情報に対応する広告コンテンツを、第２表示対象の広告コンテンツとして決定する。このようにすることで、待機モードから復帰するタイミングで、複数のログインユーザが購買の注文をした履歴に関連する広告コンテンツを表示させることができる。
【００１７】
従来、ディスプレイを備えるリモコン装置においては、リモコン装置が実行するアプリケーションの出力画像がディスプレイに表示されるものが知られている。そして、アプリケーションの画像がディスプレイに表示されているときに、表示中のアプリケーションの画像と関連する広告コンテンツをディスプレイの別領域に表示させることで、高い広告効果が得られると考えられる。
【００１８】
そこで、請求項７に記載のように構成するとよい。すなわち、リモコン装置の表示領域は、広告コンテンツが表示される広告表示領域と、リモコン装置が実行するアプリケーションの出力画像が表示されるアプリケーション表示領域とを備える。第２記憶手段に記憶されている広告属性情報は、アプリケーションに関する属性情報を少なくとも含むものである。第２決定手段は、第１記憶手段に記憶されている複数の識別情報に対応する属性情報と共通する属性情報に対応する広告コンテンツであって、アプリケーション表示領域に表示されるアプリケーションに関する属性情報に対応する広告コンテンツを、第２表示対象の広告コンテンツとして決定する。
【００１９】
そして、第２制御手段は、判定手段により解除指令が受付けられたと判定された場合、リモコン装置の待機モードが解除されるとき、第２決定手段により決定された第２表示対象の広告コンテンツを広告表示領域に表示させる。このようにすることで、リモコン装置が待機モードから復帰したときに、ディスプレイに表示されるアプリケーションと関連する広告コンテンツを表示させることができる。
【００２０】
なお、リモコン装置のディスプレイに表示されるアプリケーションの具体例としては、物品やサービスの購買を注文するための購買アプリケーション（請求項８）や、楽曲を検索するための検索アプリケーション（請求項９）が例示される。請求項８，９に係る発明によれば、リモコン装置が待機モードから復帰するときに、購買アプリケーションや検索アプリケーションに関連する広告コンテンツを、これらのアプリケーションの画像と併せて表示させることができる。
【００２１】
なお、本発明は、請求項１０に記載のように、コンピュータにおいて実行されるプログラム、あるいは当該プログラムを記憶する記憶媒体の態様で実現することもできる。
【図面の簡単な説明】
【００２２】
【図１】カラオケシステムの概略構成を示すブロック図。
【図２】リモコン装置の表示領域を示す説明図。
【図３】広告表示処理の手順を示すフローチャート。
【図４】第２表示対象決定処理の手順を示すフローチャート。
【図５】購買関連広告決定処理の手順を示すフローチャート。
【図６】ユーザ関連広告決定処理の手順を示すフローチャート。
【発明を実施するための形態】
【００２３】
以下、本発明の一実施形態を図面に基づいて説明する。なお、本発明は下記の実施形態に限定されるものではなく様々な態様にて実施することが可能である。
［カラオケシステムの構成の説明］
図１に示すように、カラオケシステムは、カラオケ店舗に設置されるカラオケ装置１０と、カラオケ装置１０を遠隔操作するためのリモコン装置３０と、外部のホストサーバ４０とを備える。カラオケ装置１０及びリモコン装置３０と、ホストサーバ４０とが、インターネットを介して通信可能に接続される。また、カラオケ装置１０とリモコン装置３０とが、カラオケ店舗に設置されるＬＡＮを介して通信可能に接続される。なお、図１では、１つのカラオケ店舗にカラオケ装置１０及びリモコン装置３０を１つずつ図示しているが、これより多くのカラオケ店舗内のＬＡＮがインターネットに接続されていてもよい。また、１つのカラオケ店舗に複数のカラオケ装置１０及びリモコン装置３０が設置されていてもよい。なお、インターネットとＬＡＮとは図示しないルータで接続されている。また、ＬＡＮは有線方式であっても無線方式であってもよい。
【００２４】
カラオケ装置１０は、制御部１１、記憶部１２、楽曲再生部１３、音声制御部１４、映像制御部１５、操作部１７、通信部１８を備える。このカラオケ装置１０は、カラオケ楽曲を演奏する機能を有する。制御部１１は、ＣＰＵ，ＲＯＭ，ＲＡＭ等を備え、装置全体の制御を司る。カラオケ装置１０の主な機能として、制御部１１は、ユーザからリクエストされたカラオケ楽曲に対応する楽曲データの再生を楽曲再生部１３に実行させる。記憶部１２は、ハードディスクドライブ等の記憶装置である。記憶部１２には、カラオケ楽曲を演奏するための楽曲データを多数収録したカラオケデータベースや、カラオケ装置１０の動作を制御するプログラム等が記憶される。
【００２５】
楽曲再生部１３は、記憶部１２に記憶されている楽曲データに基づいて楽曲の再生を行う。音声制御部１４は、音声の入出力を制御するデバイスであり、入力部１４ａ及び出力部１４ｂ等を備える。入力部１４ａには、マイク１９が接続される。これにより、入力部１４ａは、ユーザの歌唱音を取得する。出力部１４ｂにはスピーカ２１が接続されている。出力部１４ｂは、楽曲再生部１３によって再生される楽曲の音源信号、入力部１４ａから出力される歌唱音の音源信号をスピーカ２１に出力する。スピーカ２１は、出力部１４ｂから出力される音源信号を音に換えて出力する。
【００２６】
映像制御部１５は、制御部１１から送られてくる映像データに基づく映像の再生及び出力を行う。映像制御部１５には、映像の表示を行うモニタ２３が接続されている。これにより、映像制御部１５は再生した映像をモニタ２３に表示させる。操作部１７は、カラオケ装置１０に対する各種操作を行うための入力装置である。通信部１８は、カラオケ装置１０をＬＡＮに接続して通信を行うための通信インタフェースである。なお、カラオケ装置１０のその他の構成や機能については公知技術に従っているので、ここでの詳細な説明は省略する。
【００２７】
リモコン装置３０は、制御部３１、操作部３２、記憶部３３、表示部３４、及び通信部３５を備える。制御部３１は、ＣＰＵ，ＲＯＭ，ＲＡＭ等を備え、装置全体の制御を司る。操作部３２は、表示部３４の表示面上に形成されたタッチパネルやキースイッチ等を備える入力装置である。操作部３２は、ユーザから受付けた操作に対応する指令を制御部３１に入力する。記憶部３３は、各種情報を記憶する記憶装置である。記憶部３３には、リモコン装置３０の動作を制御するシステムプログラムやアプリケーションプログラム、ユーザの識別情報と属性情報とに関するデータ、広告コンテンツに関連するデータ等が記憶される。通信部３５は、リモコン装置３０をＬＡＮに接続して、ＬＡＮ及びインターネットを介した通信を制御する通信インタフェースである。
【００２８】
表示部３４は、各種情報の表示を行う出力装置であり、例えば液晶ディスプレイ等で具現化される。表示部３４には、リモコン装置３０が実行するアプリケーションによる出力画像や、リモコン装置３０によって再生される広告コンテンツの画像等が表示される。表示部３４における表示画面の一例として、図２に例示されるように、広告表示領域３４ａとアプリケーション表示領域３４ｂとが１画面上に分割して設けられる。広告表示領域３４ａには、リモコン装置３０が再生する広告コンテンツの画像が表示される。また、アプリケーション表示領域３４ｂには、後述の楽曲検索アプリケーションや購買アプリケーションといった、リモコン装置３０が実行するアプリケーションによる出力画像が表示される。このようにすることで、リモコン装置３０の操作に関連するアプリケーションの画像と、ユーザに対して商品やサービスの宣伝をするための広告画像とを同時に表示できるようになっている。
【００２９】
図１の説明に戻る。リモコン装置３０には、ユーザが所望するカラオケ楽曲を検索して選曲するための楽曲検索アプリケーションが実装されている。この楽曲検索アプリケーションでは、ユーザが、リモコン装置３０を用いて複数のカラオケ楽曲の中から所望のカラオケ楽曲を検索して選曲することで、カラオケ装置１０に対して演奏をリクエスト（予約）できるようになっている。楽曲検索アプリケーションを実行した場合、例えば、選曲可能なカラオケ楽曲の一覧や、カラオケ楽曲を検索したり選曲するカラオケ楽曲を指定する機能等が割当てられた各種アイコン等の画像が、アプリケーション表示領域３４ｂに表示される。リモコン装置３０は、選曲されたカラオケ楽曲の識別情報（例えば、曲番号）をＬＡＮ経由でカラオケ装置１０へ送信する。
【００３０】
また、リモコン装置３０には、カラオケ店舗で販売される物品やサービスの購入をユーザが注文するための購買アプリケーションが実装されている。この購買アプリケーションでは、リモコン装置３０を用いてユーザが所望の購買品目を指定することで、指定した購買品目の購入をカラオケ店舗側に依頼できるようになっている。購買アプリケーションを実行した場合、例えば、販売されている飲食物やサービス等の購買品目のメニュー表の画像や、注文する購買品目を指定する機能等が割当てられた各種アイコン等の画像が、アプリケーション表示領域３４ｂに表示される。
【００３１】
なお、リモコン装置３０は、本システムの利用アカウントを有するユーザ（利用客）が所定の手続を経てログインできるようになっている。ユーザがリモコン装置３０にログインすることにより、リモコン装置３０は、カラオケ楽曲の検索や選曲、物品やサービスの購買の注文等の機能に関する処理を、個々のログインユーザの識別情報であるユーザＩＤに対応付けて行う。リモコン装置３０は、本システムの利用アカウントを有するユーザから所定のログイン操作を受付けると、ホストサーバ４０にログイン要求を送信する。そして、リモコン装置３０は、ホストサーバ４０からログインの成否の結果を受信する。ユーザのログインが成立すると、リモコン装置３０は、ログインが成立したユーザに関連する属性情報をホストサーバ４０から取得し、このログインユーザのユーザＩＤと対応付けて記憶部３３に記録する。
【００３２】
また、リモコン装置３０は、複数のユーザがグループで１台のリモコン装置３０を共用できるように、複数のユーザが同時期に並行してログインできるように構成されている。記憶部３３には、リモコン装置３０にログインしている複数のユーザに関するユーザＩＤと、各ユーザＩＤにそれぞれ対応付けられた属性情報とが記憶される。複数のユーザがリモコン装置３０にログインしている場合、リモコン装置３０を操作するログインユーザが、操作を始める際に自らを操作者に指定するための操作入力をするようになっている。操作者を指定されることにより、リモコン装置３０は、指定されたログインユーザのユーザＩＤを操作者として設定する。
【００３３】
ログインユーザのユーザＩＤと対応付けられて記憶部３３に記憶される属性情報は、例えば、ログインユーザの性別、年齢、他のユーザと同時期に同じリモコン装置３０にログインした同行歴等が挙げられる。これらの属性情報は、例えば、ホストサーバ４０に登録されている各ユーザの利用アカウントに対応付けて記憶されているものを、ユーザがログインしたときにリモコン装置３０がホストサーバ４０から取得することが考えられる。
【００３４】
また、リモコン装置３０は、操作者に設定されたログインユーザによる操作に基づいて実行した情報処理の内容に応じた属性情報を、操作者であるログインユーザのユーザＩＤに対応付けて記憶部３３に記録する。例えば、楽曲検索アプリケーションにおいてカラオケ楽曲が選曲された場合、リモコン装置３０は、カラオケ楽曲の検索に用いられたキーワードや選曲されたカラオケ楽曲に関連する属性情報を、操作者であるログインユーザの属性情報として記憶部３３に記録する。カラオケ楽曲に関連する属性情報として、ジャンルやアーティスト等が例示される。また、購買アプリケーションにおいて購買品目の注文が行われた場合、リモコン装置３０は、注文された購買品目に関連する属性情報を、操作者であるログインユーザの属性情報として記憶部３３に記録する。購買品目に関連する属性情報として、飲食物の種類等が例示される。
【００３５】
また、リモコン装置３０は、広告コンテンツのデータを再生して、表示部３４の所定領域に広告画像を表示させる機能を有する。広告コンテンツのデータは、例えば、予めリモコン装置３０の記憶部３３に複数記憶しておくことが考えられる。あるいは、広告コンテンツを表示するときに、ホストサーバ４０に記憶されている表示対象の広告コンテンツのデータを取得し、取得したデータを再生する構成であってもよい。
【００３６】
広告コンテンツの表示機能に関連するデータとして、記憶部３３には、複数の広告コンテンツに対応付けられた属性情報を示す広告属性情報が記憶されている。広告属性情報は、表示対象となる広告コンテンツを決定するための指標として用いられる属性情報である。具体的には、広告を見てもらいたいターゲットの性別、年齢、グループ構成（家族、カップル、友人等）を示す属性情報が例示される。また、特定のカラオケ楽曲を宣伝する広告コンテンツに対応する属性情報として、楽曲検索アプリケーションにおいて選曲可能なカラオケ楽曲や検索に用いられるキーワードに関連する属性情報（例えば、ジャンルやアーティスト等）が例示される。また、飲食物等の特定の商品を宣伝する広告コンテンツに対応する属性情報として、購買アプリケーションにおいて注文可能な購買項目に関連する属性情報（例えば、飲食物の種類等）が例示される。
【００３７】
ホストサーバ４０は、周知のサーバ装置からなり、コンピュータシステムを構成している。このホストサーバ４０は、制御部４１、各種情報を記憶する記憶部４２、インターネットを介した通信を制御する通信部４３等を備える。制御部４１は、ＣＰＵやＲＯＭ、ＲＡＭ等を中心に構成された情報処理デバイスであり、装置全体の制御を司る。制御部４１は、記憶部４２から読込んだプログラムやデータに基づいて種々の処理を実行する。
【００３８】
ホストサーバ４０は、リモコン装置３０からのログイン要求に応じてユーザの認証を行う機能を有する。具体的には、本システムの利用アカウントを有するユーザに関する認証情報（例えば、ユーザＩＤやパスワード）が、記憶部４２に登録されている。ホストサーバ４０は、リモコン装置３０からログイン要求を受信すると、認証情報に基づいてログイン要求に係るユーザの認証を行う。そして、ユーザの認証が成立した場合、当該ユーザのログインが成立した旨の通知を、ログイン要求元のリモコン装置３０に送信する。
【００３９】
また、記憶部４２には、利用アカウントが登録されているユーザに関する属性情報が、各ユーザのユーザＩＤに対応付けて記憶されている。具体的には、ユーザの性別、年齢、他のユーザと同時期に同じリモコン装置３０にログインした同行歴等を示す属性情報が例示される。なお、ホストサーバ４０が、リモコン装置３０に対して広告コンテンツのデータを配信する機能を備えるような構成であってもよい。具体的には、記憶部４２が、リモコン装置３０に提供可能な広告コンテンツのデータを記憶する。そして、制御部４１は、記憶部４２に記憶されている広告コンテンツのデータをリモコン装置３０に配信する。
【００４０】
［広告表示処理の説明］
リモコン装置３０の制御部３１が実行する広告表示処理の手順について、図３のフローチャートに基づいて説明する。この処理は、リモコン装置３０の稼動中に繰返し実行される。
【００４１】
Ｓ１００では、制御部３１は、ユーザからのログインを受付ける。ユーザのログインが成立した場合、制御部３１は、ログインが成立したユーザのユーザＩＤと、当該ユーザに関連する属性情報とを対応付けて記憶部３３に記録する。Ｓ１０２では、制御部３１は、新たなユーザによるログインの要求があるか否かを判定する。新たなユーザのログインの要求がある場合（Ｓ１０２：ＹＥＳ）、制御部３１はＳ１００に戻る。一方、新たなユーザのログインの要求がない場合（Ｓ１０２：ＮＯ）、制御部３１はＳ１０４に進む。
【００４２】
Ｓ１０４では、制御部３１は、ログインユーザによってリモコン装置３０が操作される状態であるか否かを判定する。具体的には、制御部３１は、ログインユーザの中から操作者を指定する所定の操作入力を、操作部３２を介して受付けると、指定されたログインユーザのユーザＩＤを操作者としてメモリに記録することで、操作者を設定する。制御部３１は、操作者のユーザＩＤがメモリに登録されていることを条件に、Ｓ１０４で肯定判定をする。ログインユーザによってリモコン装置３０が操作される状態ではない場合（Ｓ１０４：ＮＯ）、制御部３１はＳ１０４を繰返す。一方、ログインユーザによってリモコン装置３０が操作される状態である場合（Ｓ１０４：ＹＥＳ）、制御部３１はＳ１０６に進む。Ｓ１０６では、制御部３１は、メモリに記憶されている操作者のユーザＩＤを取得する。
【００４３】
次のＳ１０８では、制御部３１は、Ｓ１０６で取得した操作者のユーザＩＤに対応付けられている属性情報に適合する広告コンテンツを第１表示対象に決定する。具体的には、制御部３１は、操作者のユーザＩＤに対応づけられている属性情報を記憶部３３から読出す。そして、制御部３１は、記憶部３３に記憶されている広告属性情報で示される広告コンテンツの中から、操作者のユーザＩＤに関連する属性情報と一致する属性情報が対応付けられた広告コンテンツを第１表示対象に決定する。ここでは、操作者の属性情報として性別や年齢に適合する広告コンテンツを第１表示対象に決定することが考えられる。あるいは、操作者の属性情報として、操作者が楽曲検索アプリケーションを利用して選曲したカラオケ楽曲のジャンルと一致する広告コンテンツを第１表示対象に決定するようにしてもよい。また、操作者が購買アプリケーションを利用して注文した販売品に関する属性情報と一致する広告コンテンツを第１表示対象に決定するようにしてもよい。
【００４４】
次のＳ１１０では、制御部３１は、Ｓ１０８で決定した第１表示対象の広告コンテンツのデータを再生し、再生した画像を表示部３４の広告表示領域３４ａ（図２参照）に表示させる。なお、アプリケーション表示領域３４ｂ（図２参照）には、リモコン装置３０で実行される楽曲検索アプリケーションや購買アプリケーションによる出力画像が表示される。
【００４５】
Ｓ１１２では、制御部３１は、リモコン装置３０が待機モードに移行するための所定の待機条件が成立したか否かを判定する。待機モードとは、リモコン装置３０が使用されていないときに、省電力やディスプレイの保護のために一部機能を制限するモードである。具体的には、「省電力モード」や「スクリーンセーバモード」、「スリープモード」等が例示される。「省電力モード」は、ディスプレイの電源を切ったり表示画面を暗くする等、一部機能を制限して電力消費を低減するモードである。「スクリーンセーバモード」は、ディスプレイの表示能力を保護するためにアニメーション等を表示させるモードである。「スリープモード」は、例えば、ＣＰＵやメモリ以外の各部へ給電を極力停止することで、起動中のプログラム等を終了することなく電力消費を大幅に低減するモードである。なお、待機モードを解除する解除指令の入力を受付けるため、待機モードにおいても、操作部３２（タッチパネル）は停止せず、操作を受付け可能な状態を維持する。これらの待機モードに移行するための待機条件としては、ユーザによる操作部３２に対する入力がない状態が一定時間継続するタイムアウト等が例示される。具体的には、制御部３１は、操作部３２に対する入力がない状態が継続している時間を計測し、一定時間を越えたことを条件に待機条件が成立したと判定する。
【００４６】
待機条件が成立していない場合（Ｓ１１２：ＮＯ）、制御部３１はＳ１０２に戻る。一方、待機条件が成立した場合（Ｓ１１２：ＹＥＳ）、制御部３１はＳ１１４に進む。Ｓ１１４では、制御部３１は、リモコン装置３０を待機モードに移行させる。そして、Ｓ１１６では、制御部３１は、待機モードを解除して通常の動作モードに復帰するための解除指令が入力されたか否かを判定する。具体的には、待機モードが設定されているときに、ユーザがタッチパネルに触れる等、操作部３２に何らかの操作入力が行われたことを条件に解除指令が入力されたと判定する。待機モードの解除指令が入力されていない場合（Ｓ１１６：ＮＯ）、制御部３１はＳ１１６を繰返す。一方、待機モードの解除指令が入力された場合（Ｓ１１６：ＹＥＳ）、制御部３１はＳ１１８に進む。
【００４７】
Ｓ１１８では、制御部３１は、第２表示対象の広告コンテンツを決定する。第２表示対象は、リモコン装置３０が待機モードから通常の動作モードに復帰したタイミングで表示するための広告コンテンツである。ここでは、複数のログインユーザのユーザＩＤに対応付けて記憶されている属性情報に共通する属性情報に対応する広告コンテンツを、第２表示対象に決定する。ここでいう「共通する」とは、例えば、複数のログインユーザの間で一致する属性情報がある場合、その一致する属性情報に対応する広告コンテンツを第２表示対象に決定する。あるいは、複数のログインユーザの属性情報の組合せから推測される特定の属性情報に対応する広告コンテンツを第２表示対象に決定する。なお、Ｓ１１８の詳細な手順については後述する。
【００４８】
次のＳ１２０では、制御部３１は、待機モードから復帰したタイミングで、Ｓ１１８で決定した第２表示対象の広告コンテンツを再生し、再生した画像を表示部３４の広告表示領域３４ａ（図２参照）に表示させる。なお、アプリケーション表示領域３４ｂ（図２参照）には、リモコン装置３０で実行される楽曲検索アプリケーションや購買アプリケーションによる出力画像が表示される。Ｓ１２０の後、制御部３１はＳ１０２に戻る。
【００４９】
［第２表示対象決定処理の説明］
リモコン装置３０の制御部３１が実行する第２表示対象決定処理の手順について、図４のフローチャートに基づいて説明する。この処理は、上述の広告表示処理（図３参照）のＳ１１８で実行される処理である。
【００５０】
Ｓ２００では、制御部３１は、購買アプリケーションに関連する属性情報を用いるか否かを判定する。ここでは、例えば、制御部３１が、購買アプリケーションの稼働状況を判断し、購買アプリケーションの画像がアプリケーション表示領域３４ｂ（図２参照）に表示されると判断したこと条件に、肯定判定をすることが考えられる。あるいは、制御部３１が、購買アプリケーションを実行した履歴の有無や、購買アプリケーションに関連する広告コンテンツを優先的に再生に表示する動作設定の有無を判断してもよい。この場合、制御部３１が、購買アプリケーションを実行した履歴や、購買アプリケーションに関連する広告コンテンツを優先的に再生に表示する動作設定があると判断したことを条件に、肯定判定をすることが考えられる。購買アプリケーションに関連する属性情報を用いる場合（Ｓ２００：ＹＥＳ）、制御部３１はＳ２０４に進む。一方、購買アプリケーションに関連する属性情報を用いない場合（Ｓ２００：ＮＯ）、制御部３１はＳ２０２に進む。
【００５１】
Ｓ２０２では、制御部３１は、楽曲検索アプリケーションに関連する属性情報を用いるか否かを判定する。ここでは、例えば、制御部３１が、楽曲検索アプリケーションの稼働状況を判断し、楽曲検索アプリケーションの画像がアプリケーション表示領域３４ｂ（図２参照）に表示される判断したことを条件に、肯定判定をすることが考えられる。あるいは、制御部３１が、楽曲検索アプリケーションを実行した履歴の有無や、楽曲検索アプリケーションに関連する広告コンテンツを優先的に再生に表示する動作設定の有無を判断してもよい。この場合、制御部３１が、楽曲検索アプリケーションを実行した履歴や、楽曲検索アプリケーションに関連する広告コンテンツを優先的に再生に表示する動作設定があると判断したことを条件に、肯定判定をすることが考えられる。楽曲検索アプリケーションに関連する属性情報を用いる場合（Ｓ２０２：ＹＥＳ）、制御部３１はＳ２０６に進む。一方、楽曲検索アプリケーションに関連する属性情報を用いない場合（Ｓ２０２：ＮＯ）、制御部３１はＳ２０８に進む。
【００５２】
購買アプリケーションに関連する属性情報を用いる場合に進むＳ２０４では、制御部３１は、複数のログインユーザが購買アプリケーションによって注文した購買品目に関連する属性情報を用いて、第２表示対象の広告コンテンツを決定する。なお、Ｓ２０４の詳細な手順については後述する。
【００５３】
一方、楽曲検索アプリケーションに関連する属性情報を用いる場合に進むＳ２０６では、制御部３１は、複数のログインユーザが楽曲検索アプリケーションによって検索や選曲をしたカラオケ楽曲に関連する属性情報を用いて、第２表示対象の広告コンテンツを決定する。具体的には、制御部３１は、複数のログインユーザのユーザＩＤにそれぞれ対応付けて記憶部３３に記憶されている属性情報のうち、楽曲検索アプリケーションを利用した履歴として記録された属性情報（例えば、カラオケ楽曲のジャンルやアーティスト）を参照する。そして、複数のログインユーザの間で共通性があるジャンルやアーティスト等の属性情報を特定する。そして、記憶部３３に記憶されている広告属性情報で示される広告コンテンツの中から、複数のログインユーザから特定した共通の属性情報に対応する広告手コンテンツを、第２表対象として決定する。
【００５４】
一方、Ｓ２００及びＳ２０２で何れも否定判定をした場合に進むＳ２０８では、制御部３１は、購買アプリケーション及び楽曲検索アプリケーションに関連する属性情報以外の他の属性情報を用いて、第２表示対象の広告コンテンツを決定する。具体的には、複数のログインユーザの性別、年齢、同行歴といった、ユーザの利用アカウントに対応付けて登録されている属性情報を用いて、第２表示対象の広告コンテンツを決定する。なお、Ｓ２０８の詳細な手順については後述する。
【００５５】
［購買関連広告決定処理の説明］
リモコン装置３０の制御部３１が実行する購買関連広告決定処理の手順について、図５のフローチャートに基づいて説明する。この処理は、上述の第２表示対象決定処理（図４参照）のＳ２０４で実行される処理である。
【００５６】
Ｓ３００では、制御部３１は、複数のログインユーザのユーザＩＤにそれぞれ対応付けて記憶部３３に記憶されている属性情報の中に、購買品目の注文に関連する属性情報があるか否かを判定する。購買品目の注文の履歴に関連する属性情報がない場合（Ｓ３００：ＮＯ）、制御部３１はＳ３０４に進む。一方、購買品目の注文に関連する属性情報がある場合（Ｓ３００：ＹＥＳ）、制御部３１はＳ３０２に進む。
【００５７】
Ｓ３０２では、制御部３１は、複数のログインユーザ全体における購買品目の注文に関連する属性情報を参照し、アルコールドリンクの注文数の方がソフトドリンクの注文数よりも多いか否かを判定する。アルコールドリンクの注文数の方がソフトドリンクの注文数よりも多い場合（Ｓ３０２：ＹＥＳ）、制御部３１はＳ３０６に進む。Ｓ３０６では、制御部３１は、記憶部３３に記憶されている広告属性情報で示される広告コンテンツの中から、アルコールドリンクの属性情報に対応する広告コンテンツを特定し、第２表示対象に決定する。
【００５８】
一方、アルコールドリンクの注文数よりもソフトドリンクの注文数の方が多い場合（Ｓ３０２：ＮＯ）、制御部３１はＳ３０８に進む。Ｓ３０８では、制御部３１は、記憶部３３に記憶されている広告属性情報で示される広告コンテンツの中から、ソフトドリンクの属性情報に対応する広告コンテンツを特定し、第２表示対象に決定する。一方、Ｓ３００で否定判定をした場合に進むＳ３０４では、制御部３１は、予め決められた汎用の広告コンテンツを第２表示対象に決定する。
【００５９】
［ユーザ関連広告決定処理の説明］
リモコン装置３０の制御部３１が実行するユーザ関連広告決定処理の手順について、図６のフローチャートに基づいて説明する。この処理は、上述の第２表示対象決定処理（図４参照）のＳ２０８で実行される処理である。
【００６０】
Ｓ４００では、制御部３１は、現時点でリモコン装置３０にログインしているログインユーザの人数が３人以上であるか否かを判定する。ログインユーザの人数が３人以上である場合（Ｓ４００：ＹＥＳ）、制御部３１はＳ４０２に進む。一方、ログインユーザの人数が３人未満である場合（Ｓ４００：ＮＯ）、制御部３１はＳ４１２に進む。
【００６１】
ログインユーザの人数が３人以上である場合に進むＳ４０２では、制御部３１は、全てのログインユーザのうち、半数以上が過去に何れかのログインユーザと同行した履歴を有するログインユーザ同士であるか否かを判定する。ここでは、制御部３１は、各ログインユーザの同行歴の属性情報を参照する。同行歴の属性情報は、過去に他のユーザと同時期に同じリモコン装置３０にログインしたことを示す情報である。互いに同行した履歴を有するログインユーザが全体の半数以上である場合（Ｓ４０２：ＹＥＳ）、制御部３１はＳ４０４に進む。一方、互いに同行した履歴を有するログインユーザが全体の半数未満の場合（Ｓ４０２：ＮＯ）、制御部３１はＳ４０６に進む。
【００６２】
同行歴のあるログインユーザが半数以上である場合に進むＳ４０４では、制御部３１は、同行歴のあるログインユーザの中に未成年者が含まれるか否かを判定する。ここでは、制御部３１は、各ログインユーザの年齢の属性情報を参照する。同行歴のあるログインユーザの中に未成年者が含まれる場合（Ｓ４０４：ＹＥＳ）、制御部３１はＳ４１６に進む。Ｓ４１６では、制御部３１は、記憶部３３に記憶されている広告属性情報で示される広告コンテンツの中から、家族向けの属性情報に対応する広告コンテンツを特定し、第２表示対象に決定する。
【００６３】
一方、同行歴のあるログインユーザの中に未成年者が含まれない場合（Ｓ４０４：ＮＯ）、制御部３１はＳ４０６に進む。Ｓ４０６では、制御部３１は、全てのログインユーザの間で年齢を比較し、年齢差が所定の基準値以内であるかを判定する。ここでは、制御部３１は、各ログインユーザの年齢の属性情報を参照する。ログインユーザ間の年齢差が所定の基準値を超える場合（Ｓ４０６：ＮＯ）、制御部３１はＳ４２２に進む。一方、ログインユーザ間の年齢差が所定の基準値以内である場合（Ｓ４０６：ＹＥＳ）、制御部３１はＳ４０８に進む。
【００６４】
Ｓ４０８では、制御部３１は、全てのログインユーザからなるグループに男性及び女性の両方が含まれているか否かを判定する。ここでは、制御部３１は、各のログインユーザの性別の属性情報を参照する。ログインユーザのグループに男性及び女性の両方が含まれている場合（Ｓ４０８：ＹＥＳ）、制御部３１はＳ４２２に進む。一方、ログインユーザのグループが男性のみ又は女性のみで構成される場合（Ｓ４０８：ＮＯ）、制御部３１はＳ４１０に進む。
【００６５】
Ｓ４１０では、制御部３１は、ログインユーザのグループが男性のみで構成されているか否かを判定する。ログインユーザのグループが男性のみで構成されている場合（Ｓ４１０：ＹＥＳ）、制御部３１はＳ４１８に進む。Ｓ４１８では、制御部３１は、記憶部３３に記憶されている広告属性情報で示される広告コンテンツの中から、男性グループ向けの属性情報に対応する広告コンテンツを特定し、第２表示対象に決定する。一方、ログインユーザのグループが女性のみで構成されている場合（Ｓ４１０：ＮＯ）、制御部３１はＳ４２０に進む。Ｓ４２０では、制御部３１は、記憶部３３に記憶されている広告属性情報で示される広告コンテンツの中から、女性グループ向けの属性情報に対応する広告コンテンツを特定し、第２表示対象に決定する。
【００６６】
一方、Ｓ４００においてログインユーザの人数が３人未満であると判定した場合に進むＳ４１２では、制御部３１は、２人のログインユーザ同士で過去に同行した履歴があるか否かを判定する。ここでは、制御部３１は、各ログインユーザの同行歴の属性情報を参照する。２人のログインユーザ同士で過去に同行した履歴がない場合（Ｓ４１２：ＮＯ）、制御部３１はＳ４２２に進む。一方、２人のログインユーザ同士で過去に同行した履歴がある場合（Ｓ４１２：ＹＥＳ）、制御部３１はＳ４１４に進む。
【００６７】
Ｓ４１４では、制御部３１は、ログインユーザが男女の二人組みであるか否かを判定する。ログインユーザが男女の二人組みではない場合（Ｓ４１４：ＮＯ）、制御部３１はＳ４２２に進む。一方、ログインユーザが男女の二人組みである場合（Ｓ４１４：ＹＥＳ）、制御部３１はＳ４２４に進む。Ｓ４２４では、制御部３１は、記憶部３３に記憶されている広告属性情報で示される広告コンテンツの中から、カップル向けの属性情報に対応する広告コンテンツを特定し、第２表示対象に決定する。
【００６８】
一方、Ｓ４０６で否定判定、Ｓ４０８で肯定判定、Ｓ４１２で否定判定、又は、Ｓ４１４で否定判定をした場合に進むＳ４２２では、制御部３１は、予め決められた汎用の広告コンテンツを第２表示対象に決定する。
【００６９】
［効果］
実施形態のリモコン装置３０によれば、以下の効果を奏する。
複数のログインユーザの中から操作者が特定されているときには、その操作者の属性情報に関連する広告コンテンツを第１表示対象として表示させることができる。第１表示対象の広告コンテンツとしては、操作者の性別や年齢を広告対象とする広告コンテンツや、操作者が選曲したカラオケ楽曲のジャンルと一致する広告コンテンツ、操作者が注文した購買品目に関連する広告コンテンツとすることができる。
【００７０】
一方、リモコン装置３０が待機モードから復帰するタイミングで、複数のログインユーザの属性情報に共通して関連する広告コンテンツを第２表示対象として表示させることができる。第２表示対象の広告コンテンツとしては、複数のログインユーザにより選曲されたカラオケ楽曲の属性情報と共通性を有する広告コンテンツとすることができる。また、複数のログインユーザにより注文された購買品目の属性情報と共通性を有する広告コンテンツを第２表示対象にすることができる。また、複数のログインユーザの性別、年齢、同行歴等の属性情報から推定されるグループ構成と共通性を有する広告コンテンツを第２表示対象にすることができる。
【００７１】
このように、リモコン装置３０が待機モードから復帰するときに、複数のログインユーザのうち誰が操作者になるか特定できない状況下において、複数のログインユーザに共通して関連する有用な情報を提供できる。そして、待機モードからの復帰後、リモコン装置３０が操作者を特定できたときには、その操作者に関連する広告コンテンツの表示を再開できる。また、購買アプリケーションや楽曲検索アプリケーションに関連する広告コンテンツを、アプリケーション表示領域３４ｂに表示されるアプリケーションの画像と併せて、広告表示領域３４ａに表示させることができる。
【００７２】
［変形例］
リモコン装置３０において演奏が予約されているカラオケ楽曲に共通する属性情報を用いて、第２表示対象の広告コンテンツを決定するような構成であってもよい。具体的には、制御部３１は、現時点で演奏が予約されているカラオケ楽曲の曲数を判定する。そして、演奏が予約されている楽曲数が規定数以上である場合、制御部３１は、演奏が予約されている楽曲のジャンルやアーティスト等の属性情報に対応する広告コンテンツを、第２表示対象として決定する。一方、演奏が予約されている楽曲数が規定数未満である場合、制御部３１は、記憶部３３に記憶されている広告属性情報で示される広告コンテンツの中から、複数のログインユーザのユーザＩＤにそれぞれ対応付けられている属性情報と共通する属性情報に対応する広告コンテンツを、第２表示対象として決定する。
【００７３】
上述の実施形態では、リモコン装置３０の待機モードが解除されるタイミングで、制御部３１が第２表示対象の広告コンテンツを決定する事例について説明した。これとは別に、例えば、待機モードに移行するタイミングや、待機モードが設定されている最中に、制御部３１が第２表示対象の広告コンテンツを決定する構成であってもよい。あるいは、リモコン装置３０にログインユーザが追加されたタイミングや、ログインユーザが削除（ログアウト）したタイミングで、制御部３１が第２表示対象の広告コンテンツを決定する構成であってもよい。
【００７４】
［特許請求の範囲に記載の構成との対応］
実施形態のリモコン装置３０の構成と、特許請求の範囲に記載の構成との対応は次のとおりである。記憶部３３が、第１記憶手段及び第２記憶手段に相当する。制御部３１が、特定手段、第１決定手段、第１制御手段、設定手段、判定手段、第２決定手段、及び、第２制御手段に相当する。
【符号の説明】
【００７５】
１０…カラオケ装置、１１…制御部、１２…記憶部、１３…楽曲再生部、１４…音声制御部、１５…映像制御部、１７…操作部、１８…通信部、１９…マイク、２１…スピーカ、２３…モニタ、３０…リモコン装置、３１…制御部、３２…操作部、３３…記憶部、３４…表示部、３４ａ…広告表意領域、３４ｂ…アプリケーション表示領域、３５…通信部、４０…ホストサーバ、４１…制御部、４２…記憶部、４３…通信部。
【図１】
0005846168.tif 000002
【図２】
0005846168.tif 000003
【図３】
0005846168.tif 000004
【図４】
0005846168.tif 000005
【図５】
0005846168.tif 000006
【図６】
0005846168.tif 000007